【事件の表示】
　特許第３４２８４６４号「幹線収納用二重床パネル」の請求項１ないし５に係る特許に対する特許異議の申立てについて、次のとおり決定する。
【結　論】
　訂正を認める。
　特許第３４２８４６４号の請求項１ないし４に係る特許を維持する。
【理　由】
１．手続の経緯
　本件特許第３４２８４６４号に係る出願は、平成１０年１０月２７日の出願であって、平成１５年５月１６日に特許の設定登録がなされ、その後、江井浩孝から特許異議の申立がなされ、取消理由が通知され、その指定期間内である平成１６年８月２３日付けで訂正請求がなされ、異議申立人から審尋に対する回答書が提出されたものである。
　
２．訂正の要旨
　訂正事項ａ：請求項２を削除し、特許請求の範囲を次のように訂正する。
「【請求項１】二重床の床下に通す各種配線を、二重床の床面となるカバーと該カバーを支えるベースとの間の収納空間で挿通させる幹線収納用二重床パネルであって、前記ベースは、内部が略全て前記収納空間になるように形成され、前記カバーとベースとの間の収納空間を複数に仕切る平板からなり当該カバーを支える支持壁を、前記カバーとベースとのいずれかに立設し、前記ベースの外側面及び前記支持壁に、各種配線を幹線から分岐して引き出すための通線開孔を設けて、二重床を形成する同通線開孔に対向する箇所に当該開孔と断面同一形状からなり分岐された各種配線が引き込まれる十字溝を有した他の床パネルの外形寸法に略一致する外形寸法を有して形成され、他の床パネルと置換されて二重床を形成するものとしたことを特徴とする幹線収納用二重床パネル。
【請求項２】前記支持壁は、前記ベースの底面から切り起こして形成されることを特徴とする請求項１記載の幹線収納用二重床パネル。　
【請求項３】前記ベースの底面に、該底面の強度を弱くするために切り欠きを設けたことを特徴とする請求項１又は請求項２記載の幹線収納用二重床パネル。
【請求項４】前記支持壁は、二重床の床下に通す各種配線を、特定の一方向にガイドするように形成され、このような前記支持壁を有する複数の幹線収納用二重床パネルを、全ての前記支持壁が特定の一方向に各種配線をガイドするように並置することによって、二重床の幹線路を形成するようにしたことを特徴とする請求項１乃至３記載の幹線収納用二重床パネル。」
　訂正事項ｂ：特許明細書の段落【０００８】を次のように訂正する。
「【課題を解決するための手段】
　請求項１記載の発明にあっては、二重床の床下に通す各種配線を、二重床の床面となるカバーと該カバーを支えるベースとの間の収納空間で挿通させる幹線収納用二重床パネルであって、ベースは、内部が略全て収納空間になるように形成され、カバーとベースとの間の収納空間を複数に仕切る平板からなり当該カバーを支える支持壁を、前記カバーとベースとのいずれかに立設し、前記ベースの外側面及び前記支持壁に、各種配線を幹線から分岐して引き出すための通線開孔を設けて、二重床を形成する同通線開孔に対向する箇所に当該開孔と断面同一形状からなり分岐された各種配線が引き込まれる十字溝を有した他の床パネルの外形寸法に略一致する外形寸法を有して形成され、他の床パネルと置換されて二重床を形成するものとしたことを特徴とする。」
　訂正事項ｃ：特許明細書の段落【０００９】の記載を削除する。
　訂正事項ｄ：特許明細書の段落【００１０】を次のように訂正する。
「請求項２記載の発明にあっては、請求項１記載の幹線収納用二重床パネルにおいて、支持壁は、ベースの底面から切り起こして形成されることを特徴とする。」
　訂正事項ｅ：特許明細書の段落【００１１】を次のように訂正する。
「請求項３記載の発明にあっては、請求項１乃至３記載の幹線収納用二重床パネルにおいて、ベースの底面に、該底面の強度を弱くするために、切り欠きを設けたことを特徴とする。」
　訂正事項ｆ：特許明細書の段落【００１３】を次のように訂正する。
「請求項４記載の発明にあっては、請求項１乃至４記載の幹線収納用二重床パネルにおいて、支持壁は、二重床の床下に通す各種配線を、特定の一方向にガイドするように形成され、このような支持壁を有する複数の幹線収納用二重床パネルを、全ての支持壁が特定の一方向に各種配線をガイドするように並置することによって、二重床の幹線路を形成するようにしたことを特徴とする。」
　訂正事項ｇ：特許明細書の段落【００４５】を次のように訂正する。
「また、支持壁は、カバー又はベースに立設され、カバーを支えるようにしたため、幹線収納用二重床パネルの強度を向上できる。」
　訂正事項ｈ：特許明細書の段落【００４６】を次のように訂正する。
「請求項２記載の発明にあっては、請求項１記載の発明の効果に加えて、支持壁は、ベースの底面から切り起こして形成されるようにしたため、支持壁を容易に形成することができる。」
　訂正事項ｉ：特許明細書の段落【００４７】を次のように訂正する。
「請求項３記載の発明にあっては、請求項１乃至３記載の発明の効果に加えて、ベースの底面に、該底面の強度を弱くするために、切り欠きを設けたため、ベースを、コンクリート床スラブ上面の不陸に柔軟に対処して、がたつかないようにできる。」
　訂正事項ｊ：特許明細書の段落【００４９】を次のように訂正する。
「請求項４記載の発明にあっては、請求項１乃至４記載の発明の効果に加えて、支持壁は、二重床の床下に通す各種配線を、特定の一方向にガイドするように形成され、このような支持壁を有する複数の幹線収納用二重床パネルを、全ての支持壁が特定の一方向に各種配線をガイドするように並置することによって、二重床の幹線路を形成するようにしたため、各種配線が分電盤などから多量に引き出されていても、各種配線を、オフィス内の目的位置に向かうように予め正確に仕分けせずによくなり、そのような仕分けにかかるはずの手間をおさえることができる。」
　
３．訂正の適否
　上記訂正事項ａに係る訂正は、請求項の削除および特許請求の範囲の減縮を目的とするものであり、訂正事項ｂないしｊに係る訂正は、訂正事項ａに関連してなされた明りょうでない記載の釈明に該当し、いずれの訂正も、願書に添付した明細書又は図面に記載した事項の範囲内のものであり、さらに、実質上特許請求の範囲を拡張し、又は変更するものではない。
　したがって、上記訂正は、特許法第１２０条の４第２項及び第３項において準用する特許法第１２６条第２項および第３項の規定に適合するので、当該訂正を認める。　  　
　
４．異議の申立ての概要
（１）請求項１に記載不備があって発明が不明確であり、詳細な説明も記載不備であるから特許法第３６条の規定により特許を受けることができないものであり、本件の特許を取り消すべきであると主張している。
（２）証拠として、下記の甲第１ないし１５号証を提出し、本願請求項１ないし５に係る発明は、周知慣用技術である甲第１ないし３号証に記載された発明のいずれかと同一又は実質的に同一であるから特許法第２９条第１項第３号の規定により、また、甲第１ないし３号証に記載された発明のいずれかと甲第４ないし１５号証に記載された発明のいずれかとの組合せ、もしくは、甲第４ないし１５号証に記載された発明のいずれか２つの組合せにより、容易に想起創作できるものであるから特許法第２９条第２項の規定により特許を受けることができないものであり、本件の特許を取り消すべきであると主張している。さらに、当審からの審尋に対する回答書で、甲第１６ないし２０号証として（以下、「参考文献１ないし５」という。）刊行物を提出し、訂正で限定された事項はいずれも、周知技術にすぎないと主張している。
　甲第１号証：特開昭６２−２８４８５４号公報
　甲第２号証：実願平２−５９０５３号（実開平４−１８１３８号）のマイクロフィル
　甲第３号証：特開平１０−２８０６５５号公報
　甲第４号証：実願昭６０−１９３１６９号（実開昭６２−１０１９４２号）のマイクロフィルム　   
　甲第５号証：特開平１−１８５１１７号公報
　甲第６号証：実願平２−９３２７号（実開平３−９９１４２号）のマイクロフィルム
　甲第７号証：意匠登録第８８０８５６号公報
　甲第８号証：実用新案登録第２５６０３０６号公報
　甲第９号証：特開平５−３２８５７４号公報
　甲第１０号証：特開平６−２４５３５４号公報
　甲第１１号証：特開平８−３２６２７７号公報
　甲第１２号証：特開平８−３３８１２１号公報
　甲第１３号証：特開平８−４２１１９号公報
　甲第１４号証：実願平２−９３２９号（実開平３−９９１４３号）のマイクロフィル
　甲第１５号証：実用新案登録第２５１４１３９号公報
　参考文献１：特開平７−４０１０号公報
　参考文献２：特開平９−１３６３２号公報
　参考文献３：特開平８−２３２４４８号公報
　参考文献４：特開平８−２４６６４６号公報
　参考文献５：特開昭５２−３４３８８号公報
　
５．本件訂正後発明
　本件訂正明細書の請求項１ないし４に係る発明（以下、「訂正後発明１ないし４」という。）は、訂正明細書の特許請求の範囲の請求項１ないし４に記載された事項により特定されるとおりのものである。（上記２．訂正事項ａ参照）
　
６．特許法第３６条第６項第２号に関して
　申立人は、請求項１に下記の記載不備があって発明が不明確であると指摘している。
ａ．「内部が略全て前記収納空間になるように形成され」とはどのような構成を示すのか不明である。
ｂ．「複数に仕切る支持壁を、前記カバーとベースとのいずれかに設け」とあるが、支持壁がベースに設けられた場合の具体的な記載がなく意味不明である。
ｃ．「ベースの外側面」の定義が意味不明である。
　しかしながら、上記ａないしｃの事項はいずれも、特許明細書の詳細な説明および図面を参照すれば、特に請求項１に記載された発明を不明確とするような記載不備とは認められない。
　
７．特許法第２９条第１項第３号及び同法第２９条第２項に関して
（１）各刊行物記載の発明
（Ａ）甲第１号証には、２頁左上欄１６ないし２０行に「本発明は、電子計算機室・オフィスオートメーション機器室等において、各機器に対する電力線・電話線・信号線等の配線を容易にし、また機器の配置変更にも柔軟に対処できるフロアパネル装置に関するものである。」、４頁右上欄１ないし３行に「また配線溝３の幅も、配線量に応じて選択できるように、溝幅の異なる複数種類のユニットパネルを用意するものである。」、５頁右下欄４行ないし６頁左上欄２０行に「さらに、あらかじめ設計された配線経路による使用区分に従って、各配線溝の底に、電線の種類ごとの経路を例えばカラーテープまたはペイントなどで表示しておくと、上記配線経路を一目で知ることができて配線作業はもちろん、その後の保守点検に際しても便利である。第７図は、溝幅が狭い格子状配線溝３を持ったユニットパネルＰ１と、溝幅が広く且つ中心に島状に小ブロック１Ｓを残した十字状配線溝３を持ったユニットパネルＰ２を敷詰めて、配線溝を連続させた例を示している。上記溝幅の広いユニットパネルＰ２は、幹線経路や、多量の線が集中または分派する負荷機器Ｍの周囲に配置し、それより離れた配線量が少ない所には溝幅の狭いユニットパネルＰ１を配置する等、配線量に応じてユニットパネルＰ１・Ｐ２の位置を決めるものである。その場合、ユニットパネルＰ１・Ｐ２の配置いかんによっては、各パネルの配線溝の本数・溝間隔・溝幅等の違いで溝が途切れる、あるいは食違うこともあるが、必要な箇所ではユニットパネルを置替えるなどして配線溝を連続させる。第８図は、分電盤Ｅの近傍におけるユニットパネルの敷設状態を示したもので、分電盤Ｅが設置されている壁際は配線量が多いから、溝幅が広い十字状配線溝３を持った長方形のユニットパネルＰ３を配置し、その内側に、やや広目の溝幅の井桁状配線溝３を持った正方形ユニットパネルＰ２を、さらにその内側に、溝幅が狭い井桁状配線溝３を有する正方形ユニットパネルＰ１を配置している。分電盤Ｅから離れていても配線量が多い経路には、溝幅が広い正方形ユニットパネルＰ２’を配置している。溝幅が異なるユニットパネルＰ１・Ｐ２・Ｐ３を上記のように敷設すると、分電盤Ｅ側に電線Ｗが集中しても混雑することなく容易に配線できる。」と、第７図、第８図、第１３図とともに記載されている。
（Ｂ）甲第２号証には、明細書７頁１０ないし２０行に「本考案に係る配線用フロアパネル装置の各実施例を図面にしたがって説明する。第１図は配線溝を十字状に設けたフロアパネル装置Ｐの１ユニットを示しており、正方形（一辺は４０乃至６０ｃｍ）可撓性シート１の表面の四隅に配線溝形成用ブロック２を貼付け固着して、そのブロック２とブロック２の間に可撓性シート１を底とする配線溝３を十字形に形成している。配線溝３の上面開口は、その交差部を覆う略十字形カバー板４と、直線部を覆う４枚の略方形カバー板５で覆われている。」と、第１ないし７図とともに記載されている。
（Ｃ）甲第３号証には、段落【０００８】に「本発明の入線用床パネル１は、床スラブ１４上に直接敷きつめられる置き敷きタイプと称される床パネルであって、内部に配線スペース７を備えており、この入線用床パネル１と通常の床パネル２０とでアクセスフロアの床が構成されている。図１及び図２は分電盤１１の前面と略直交する方向Ｃに複数列の入線用床パネル１を敷きつめた場合を示しており、図３は分電盤１１が設置された壁面２１と略平行な方向Ｂに１列の入線用床パネル１を敷きつめた場合を示している。」、段落【０００９】に「入線用床パネル１は、支柱ブロック２とパネルカバー３とから成る。支柱ブロック２は、図４及び図５（ａ）（ｂ）に示すように、四隅に水平断面が四角形状の支柱４がそれぞれ配置され、各支柱４の上端部に段部５が形成されていると共に、各支柱４の下端部同士がリブ状の薄肉部６で相互に繋がれており、上記各支柱４の段部５に平面視矩形状のパネルカバー３のコーナ部を載置することによって平面視矩形状の入線用床パネル１が構成される。」、段落【００１０】に「入線用床パネル１を縦横３個ずつ、計９個並べて平面視矩形状の入線用床パネルブロック１５を構成した場合を示している。この入線用床パネルブロック１５の大きさ、高さは通常の床パネル２０のモジュールの１単位と同じ大きさ、高さを有している。・・・縦横３列の入線用床パネルブロック１５は１枚の通常の床パネル２０と同じ大きさとなり、入線用床パネルブロック１５を通常の床パネル２０内に収まり良く敷設できるようになっている。」、段落【００１１】に「パネルカバー３と薄肉部６との間は配線スペース７とされている。・・・パネルカバー３は、金属製或いは樹脂製のいずれであってもよいが、・・・鉄などの鋼材或いは不透明なプラスチック等で構成されてもよい。」、段落【００１７】に「１単位の入線用床パネルブロック１５と通常の床パネル２０とが同じ大きさとなり、入線用床パネルブロック１５を通常の床パネル２０内に収まりよく敷設できるようになり、そのうえ、隣合う支柱ブロック２の支柱４にそれぞれ設けた係合部９に上方から連結リング８ａをはめ込むだけで、・・・入線用床パネル１と通常の床パネル２０とを簡単に連結固定できる」と、図１ないし５とともに記載されている。
（Ｄ）甲第４号証には、第１、３、４図に開示される、床下地板２に、配線用の間隙５を形成した凸条部４を設けたＯＡ用床構造が記載されている。
（Ｅ）甲第５号証には、第７ないし９図に開示される、強電、弱電用配線通路１０ａ、１０ｂを仕切る仕切壁１７、側壁１１、１２を設け、これらに配線用開口部１５を設けた床配線用ダクトが記載されている。
（Ｆ）甲第６号証には、明細書９頁１３行ないし１０頁９行に「床用ブロック１は、例えば、第９図に示すように、床用ブロック１の四周に開放したコード挿通溝１０を形成して、これらのコード挿通溝１０を、長短２種類のカバー体１１，１２にて塞ぐようにするなど、種々の形態にすることができるのである。また、コード挿通溝に対するカバー体の形態も、上記２つの実施例のようにな断面コ字状に限らず、例えば、第１０図に示すように、縦横両コード挿通溝２，３の側面に段部１３を形成する一方、縦横のコード挿通溝２，３で囲われた突起部１ｂを前記段部１３と同じ高さ寸法に形成することにより、各コード挿通溝２，３を１枚のカバー体１４にて覆うとか、或いは、板体にて床用ブロックと同じ平面形状に形成して、単に床用ブロックの上面に載置するなど、種々の形態を採用することができることは云うまでもない。」と、第９、１０図とともに記載されている。
（Ｇ）甲第７号証には、配線収納空間を仕切る仕切壁と、外側面及び支持壁に通線開口とを設けた配線用床材に関する意匠図面が記載されている。
（Ｈ）甲第８号証には、図１、２、５、６に開示される、配線溝２を複数に仕切る支持脚部材３Ａに、切欠（配線横切り部）８を設けた床配線装置が記載されている。
（Ｉ）甲第９号証には、段落【００２９】に「床配線ピット材１は室内の中央を前後に横断するように床面Ｆ上に設置され、このピット材１の左右には、複数枚のフロアパネル２が隙間なく整列配置されている。まず、フロアパネル２の構成を説明すると、これらのフロアパネル２はポリエチレン製で、一辺が１ｍ程度の正方形板状をなしている。フロアパネル２の上面には、相互に直交する各４本の溝からなる碁盤目状の配線ピット３が形成され、この配線ピット３内には前記した電力ケーブルＷ1や情報ケーブルＷ2を任意に収容可能である。そして、図に示すように、床配線ピット材１の両側に位置するフロアパネル２は、その配線ピット３の左右方向の溝の一端をピット材１の側面に向けて開口させている。フロアパネル２の四隅には段差部２ａが形成され、この段差部２ａの高さはフロアパネル２の上面より一段低くなっている。なお、フロアパネル２は適度な柔軟性を備えており、床面Ｆの起伏に応じて橈んで床面Ｆとの間に間隙が生じるのを防止する。」、段落【００３１】に「ピット材１はポリ塩化ビニル製で、上方に開口する断面略Ｅ字状をなし、その高さは、前記フロアパネル２の段差部２ａの高さと等しく設定されている。ピット材１の底面部４は平板状をなして床面Ｆに接し、その底面部４上には、左側に左側面部５ａが、右側に右側面部５ｂが、中央に中央側面部５ｃがそれぞれ垂直に立設されている。この左側面部５ａと中央側面部５ｃとの間には電力ケーブル通路６が、右側面部５ｂと中央側面部５ｃとの間には情報ケーブル通路７が、それぞれピット材１の長手方向全体にわたって上方に開口するように形成されている。」、段落【００３４】に「ケーブル通路６，７内に収容された電力ケーブルＷ1及び情報ケーブルＷ2は、後方に案内されながら左右のＯＡ機器Ｍに適宜分岐されている。電力ケーブルＷ1の分岐状態を説明すると、図３及び図６に示すように、ピット材１の左側面部５ａにおいて、電力ケーブルＷ1の分岐箇所に位置する独立折曲片９ａは下側薄肉溝１１に沿って切断されてピット材１より分離され、その結果、電力ケーブル通路６内と左側のフロアパネル２の配線ピット３とを連通させる左分岐開口部１２が形成されている。また、ピット材１の右側面部５ｂの独立折曲片９ｂと中央側面部５ｃの独立折曲片９ｃは、それぞれ上側薄肉溝１０を境界として相互に接近する方向へ直角に折曲され、その結果、電力ケーブル通路６内と右側のフロアパネル２の配線ピット３とを独立折曲片９ｂ，９ｃ上を越えて連通させる右分岐開口部１３が形成されている。なお、この右分岐開口部１３の下側には情報ケーブル通路７が確保されて、情報ケーブルＷ2が案内されている。」、段落【００３９】に「ピット材１上には、そのケーブル通路６，７を室内側より閉鎖するようにアルミ板製の蓋体１７が配設され、この蓋体１７の左右両側は、左右のフロアパネル２の段差部２ａ上に載置されている。・・・蓋体１７はピット材１の各側面部５ａ〜５ｃに支持される」と記載されており、これらの記載および図１ないし９を参照すると、甲第９号証には「二重床の床下に通す各種配線を、二重床の床面となる蓋体と該蓋体を支える底面部との間の収納空間で挿通させる床配線ピット材であって、��記底面部は、内部が略全て前記収納空間になるように形成され、前記蓋体と底面部との間の収納空間を複数に仕切り長手方向に薄肉部を有する平板状からなり当該蓋体を支える中央側面部を、前記蓋体と底面部とのいずれかに立設し、前記左側面部、右側面部及び中央側面部に、各種配線を幹線から分岐して引き出すための左分岐開口部、右分岐開口部及び中央分岐開口部を設けて、二重床を形成する同左分岐開口部、右分岐開口部及び中央分岐開口部に対向する箇所に分岐された各種配線が引き込まれる十字溝を有したフロアパネルの外形寸法に略一致する外形寸法を有して形成され、フロアパネルと置換されて二重床を形成する床配線ピット材」という発明、及び、「該床配線ピット材において、前記中央側面部は、二重床の床下に通す各種配線を、特定の一方向にガイドするように形成され、このような前記中央側面部を有する複数の床配線ピット材を、全ての前記中央側面部が特定の一方向に各種配線をガイドするように並置することによって、二重床の幹線路を形成するようにした」という発明が記載されている。
（Ｊ）甲第１０号証には、図３、図６に開示される、短半筒材２１により配線通路３を形成し、側壁に配線用の連絡孔２４、補助連絡孔２５を設けた配線床構造が記載されている。
（Ｋ）甲第１１号証には、図１１、１２に開示される、補強台５にコの字状に打抜孔５２を設けて打抜片５４を設け、これを折り曲げて補強脚５５を形成した複合床版が記載されている。
（Ｌ）甲第１２号証には、図５に開示される、補強台の平板１０にコの字状打抜き７２、屈折線７３を設け、脚形成部７１を下方に直角に屈折し補強脚を構成する配線床が記載されている。
（Ｍ）甲第１３号証には、段落【００１４】に「ベースマット１０の配線溝１２となる部分には適当に孔３０があけられている。軽量化と可撓性をより発揮させるためである。」と記載されている。
（Ｎ）甲第１４号証には、第２、３図に開示される、ボルトにより高さ調節が可能なアジャスタボルト３を有する床パネル１からなる二重床装置が記載されている。
（Ｏ）甲第１５号証には、図２ないし４に開示される、カバー板４Ａ、４Ｂに横断面Ｔ字形を形成する様に、支持脚４Ａ1、４Ｂ1を設け、該支持脚に配線用の切り欠き９を設けた床配線装置が記載されている。
（Ｐ）参考文献１、２、５には「配線空間確保のために剛性のある薄い平板で支持壁を立設形成して蓋を支持している」構成が、参考文献３、４には「ベース外側面に設けた通線開孔が床パネルの配線が引き込まれる開孔と断面同一形状からなっている」構成が記載されている。
　
（２）対比・判断　
（Ａ）訂正後発明１について
　訂正後発明１と、取消理由通知において引用した甲第９号証に記載された発明とを対比すると、甲第９号証に記載された発明の「蓋体」、「底面部」、「床配線ピット材」、「中央側面部」、「左側面部、右側面部」、「左分岐開口部、右分岐開口部及び中央分岐開口部」、「フロアパネル」は、それぞれ、訂正後発明１の「カバー」、「ベース」、「幹線収納用二重床パネル」、「支持壁」、「ベースの外側面」、「通線開孔」、「他の床パネル」に相当し、両者は、「二重床の床下に通す各種配線を、二重床の床面となるカバーと該カバーを支えるベースとの間の収納空間で挿通させる幹線収納用二重床パネルであって、前記ベースは、内部が略全て前記収納空間になるように形成され、前記カバーとベースとの間の収納空間を複数に仕切りカバーを支える支持壁を、前記カバーとベースとのいずれかに立設し、前記ベースの外側面及び前記支持壁に、各種配線を幹線から分岐して引き出すための通線開孔を設けて、二重床を形成する同通線開孔に対向する箇所に分岐された各種配線が引き込まれる十字溝を有した他の床パネルとで二重床を形成する幹線収納用二重床パネル」点で一致し、次の点で相違する。
　相違点１：訂正後発明１の通線開孔は、他の床パネルの十字溝と断面同一形状からなっているのに対し、甲第９号証に記載された発明ではそのようになっていない点。
　相違点２：支持壁が、訂正後発明１では、平板からなっているのに対し、甲第９号証に記載された発明では、長手方向に薄肉部を有する平板状からなっている点。
　相違点３：訂正後発明１の幹線収納用二重床パネルが、他の床パネルの外形寸法に略一致する外形寸法を有して形成され、他の床パネルと置換されたものであるのに対し、甲第９号証に記載された発明にはそのような記載のない点。
　上記相違点１について検討するため、参考文献３、４をみると、参考文献３、４には、配線通路となる配線蓋、溝蓋（訂正後発明１の「ベース」に相当）の脚部、対向する側面（訂正後発明１の「ベース外側面」に相当）に設けた配線切欠部、切除部（訂正後発明１の「通線開孔」に相当）は、配線が引き込まれる、床板の配線切欠部、床パネルの通線口（訂正後発明１の「他の床パネルの十字溝」に対応）と断面同一形状からなっている」構成が記載されているが、これらの刊行物には、訂正後発明１の「配線収納空間を複数に仕切る支持壁」に相当する構成がなく、「配線収納空間を複数に仕切る支持壁に設けた通線開孔は、他の床パネルの十字溝と断面同一形状からなっている」という事項に関しての記載もない。そして、該事項に関しては、甲第２ないし８、１０ないし１５号証および参考文献１ないし５のいずれにも記載はなく、容易に想到しうるともいえない。
　したがって、相違点２、３について検討するまでもなく、訂正後発明１は、提出された甲第１ないし１５号証および参考文献１ないし５に記載された発明のいずれかと同一とも、甲第１ないし１５号証および参考文献１ないし５に記載された発明に基いて当業者が容易に発明をすることができたものであるともいえない。
　
（Ｂ）訂正後発明２ないし４について
　訂正後発明２ないし４は、少なくとも訂正後発明１を引用してさらに限定事項を付加したものであり、上記、「（Ａ）訂正後発明１について」で検討したように、訂正後発明１は、甲第１ないし１５号証および参考文献１ないし５に記載された発明のいずれかと同一とも、甲第１ないし１５号証および参考文献１ないし５に記載された発明に基いて当業者が容易に発明をすることができたものであるともいえないから、上記限定事項について検討するまでもなく、訂正後発明２ないし４は、提出された甲第１ないし１５号証および参考文献１ないし５に記載された発明のいずれかと同一とも、甲第１ないし１５号証および参考文献１ないし５に記載された発明に基いて、当業者が容易に発明をすることができたものであるともいえない。
　
８．むすび
　以上のとおりであるから、異議申立ての理由及び証拠によっては、本件訂正後発明１ないし４の特許を取り消すことはできない。
　また、他に本件訂正後発明１ないし４の特許を取り消すべき理由を発見しない。
　よって、結論のとおり決定する。
【異議決定日】
平成１６年１１月２５日（２００４．１１．２５）
【訂正の要旨】
審決（決定）の【理由】欄参照。
（５４）【発明の名称】
幹線収納用二重床パネル
（５７）【特許請求の範囲】
　【請求項１】　二重床の床下に通す各種配線を、二重床の床面となるカバーと該カバーを支えるベースとの間の収納空間で挿通させる幹線収納用二重床パネルであって、前記ベースは、内部が略全て前記収納空間になるように形成され、前記カバーとベースとの間の収納空間を複数に仕切る
平板からなり当該カバーを支える
立設し
及び前記支持壁
当該開孔と断面同一形状からなり
　【請求項２】　
前記支持壁は前記ベースの底面から切り起こして形成されることを特徴とする請求項１記載の幹線収納用二重床パネル。
　【請求項３】　
前記ベースの底面に、該底面の強度を弱くするために切り欠きを設けたことを特徴とする請求項１又は請求項２記載の幹線収納用二重床パネル。
　【請求項４】　
前記支持壁は、二重床の床下に通す各種配線を、特定の一方向にガイドするように形成され、このような前記支持壁を有する複数の幹線収納用二重床パネルを、全ての前記支持壁が特定の一方向に各種配線をガイドするように並置することによって、二重床の幹線路を形成するようにしたことを特徴とする請求項１乃至３記載の幹線収納用二重床パネル。
【発明の詳細な説明】
　【０００１】
　【発明の属する技術分野】
　本発明は、オフィスビル内の事務所またはコンピュータルームに使用される、二重床の一種であり、パソコンなどのＯＡ機器の増加に伴う配線の集中化に対処するための、幹線収納用二重床パネルに関する。
　【０００２】
　【従来の技術】
　図６を用いて従来の幹線収納用二重床パネルを説明する。図６は、従来の幹線収納用二重床パネルを用いて構成した二重床を、理解を助けるために床面を外した状態で眺めた斜視図である。
　【０００３】
　近年、コンクリート床スラブの上面に、図６に図示するような溝型フロアパネルのベース１を複数並置することによって、オフィスのパソコンなどのＯＡ機器用の電力線と通信線とを収納空間２に収納する構造の二重床が、使用されている。
　【０００４】
　溝型フロアパネルのベース１は、図６に図示するように、十字溝３が形成されている。十字溝３は、複数の溝型フロアパネルのベース１が並置することによって、溝型の収納空間２を形成する。施工者は、電力線や通信線などの各種配線Ｌを、溝型の収納空間２に納め、図示しないカバーを、二重床の床面となるように溝型フロアパネルのベース１の上面に取り付ける。
　【０００５】
　このように、二重床の床下に形成した溝型の収納空間２に、各種配線Ｌを納め、上から図示しないカバーで覆うことによって、オフィスのフロアが形成される。
　【０００６】
　【発明が解決しようとする課題】
　しかしながら、上述のような従来の幹線収納用二重床パネルにおいては、溝型の収納空間２は十字溝３が連接することによって形成されるため、各種配線Ｌの本数が増えると、溝型の収納空間２には多量の各種配線Ｌを納めきれなくなるおそれがあった。すなわち、オフィスにおける各種配線Ｌの本数は、ＯＡ機器の増加につれて、今後、ますます増える傾向にある。従って、溝型の収納空間２は、十字溝３が連接することによって形成されるようなものであっては、今後の各種配線Ｌの増加に対処しきれないおそれがでてくる。つまり、一般に、オフィスにおける各種配線Ｌは、図示しない分電盤や通信線用端子盤から、幹線状態で束ねられて多量に引き出されたのち、オフィス内に適宜分散されることになるのであるが、溝型の収納空間２が、十字溝３が連接することによって形成されるようなものであっては、各種配線Ｌは、分電盤や通信線用端子盤から多量に引き出されたのち、オフィス内の目的位置に向かうように正確に仕分けしてから溝型の収納空間２に納めなければならず、施工作業に手間がかかるおそれがあった。
　【０００７】
　本発明は、上述のようなおそれを解決するためになされたもので、その目的とするところは、各種配線が幹線状態で多量に引き出されていても、配線作業の手間をおさえることのできる幹線収納用二重床パネルを提供することにある。
　【０００８】
　【課題を解決するための手段】
　請求項１記載の発明にあっては、二重床の床下に通す各種配線を、二重床の床面となるカバーと該カバーを支えるベースとの間の収納空間で挿通させる幹線収納用二重床パネルであって、前記ベースは、内部が略全て前記収納空間になるように形成され、カバーとベースとの間の収納空間を複数に仕切る
平板からなり当該カバーを支える
立設し
及び前記支持壁
当該開孔と断面同一形状からなり
　【０００９】
　【００１０】
　請求項
２
　【００１１】
　請求項
３
　【００１２】
　【００１３】
　請求項
４
。
　【００１４】
　【発明の実施の形態】
　以下、本発明に係る幹線収納用二重床パネルの第１の実施の形態を図１と図２とに基づいて、第２の実施の形態を図３に基づいて、第３の実施の形態を図４に基づいて、第４の実施の形態を図５に基づいてそれぞれ詳細に説明する。
　【００１５】
　［第１の実施の形態］
　図１は幹線収納用二重床パネルを説明する分解斜視図である。図２は幹線収納用二重床パネルを用いて構成した二重床を、理解を助けるために床面を外した状態で眺めた斜視図である。
　【００１６】
　幹線収納用二重床パネルは、図１に示すように、ベース１と、カバー４とを備えて構成される。本実施例では、幹線収納用二重床パネルは、二重床を形成する他の床パネルの外形寸法に略一致する外形寸法を有して形成され、他の床パネルと置換されて二重床を形成するものとする。
　【００１７】
　ベース１は、底面がコンクリート床スラブ上面に載置する板状の底板１ａに、支持壁１ｂが略垂直に立設されて形成されている。ベース１の外側面１ｃには、通線開孔１ｃ１が設けられてある。
　【００１８】
　カバー４は、足で踏まれても変形しないほどの高い強度を有しており、ベース１を上側から隠し二重床の床面となるためのもので、底板１ａに対向するようにして支持壁１ｂおよび外側面１ｃに支持されてベース１に取り付けられる。
　【００１９】
　カバー４をベース１に取り付けると、カバー４とベース１との間の収納空間２は、支持壁１ｂで複数の収納空間２ａ、２ａ、２ａになるように仕切られる。複数の収納空間２ａ、２ａ、２ａ、すなわち収納空間２には、二重床の床下に通したい電力線や通信線などの各種配線Ｌを、弱電と強電などの区別に応じて、また、伝送信号の種類に応じて、線種類別に、各収納空間２ａごとに挿通させる。
　【００２０】
　図２は、複数の幹線収納用二重床パネルを、一列に並べて配置した二重床を例示している。複数の幹線収納用二重床パネルは、支持壁１ｂが、各種配線Ｌを、特定の一方向Ｔにガイドするように向けられている。このように支持壁１ｂを有する複数の幹線収納用二重床パネルを、全ての支持壁１ｂが特定の一方向Ｔに各種配線Ｌをガイドするように並置することによって、二重床の幹線路Ｒが形成されるのである。二重床の幹線路Ｒは、分電盤Ｐなどから、幹線状態で束ねられて多量に引き出された各種配線Ｌを、幹線状態を崩さないようにガイドするのである。施工者は、各種配線Ｌの分岐の必要性に適宜応じて、通線開孔１ｃ１を通して各種配線Ｌを分岐させることもできる。なお、二重床を構成するフロアパネルのうち、幹線路Ｒ以外のパネルは、図２に示すような、従来例に示した溝型フロアパネルでなくてもよく、通線開孔１ｃ１に対向する箇所に、分岐された各種配線Ｌが引き込まれるものであれば構わない。
　【００２１】
　このように、二重床の床下に形成した収納空間２に、各種配線Ｌを納め、上からカバー４で覆うことによって、オフィスのフロアが形成される。
　【００２２】
　従って、二重床の床下に通す各種配線Ｌを、二重床の床面となるカバー４と該カバー４を支えるベース１との間の収納空間２で挿通させる幹線収納用二重床パネルであって、ベース１は、内部が略全て収納空間になるように形成され、カバー４とベース１との間の収納空間２を複数に仕切る支持壁１ｂを設け、支持壁１ｂは、各種配線Ｌを特定の一方向Ｔにガイドするように形成され、このような支持壁１ｂを有する複数の幹線収納用二重床パネルを、全ての支持壁１ｂが特定の一方向Ｔに沿って各種配線Ｌをガイドするように並置することによって、二重床の幹線路Ｒを形成するようにしたため、各種配線Ｌが分電盤Ｐなどから多量に引き出されていても、オフィス内の目的位置に向かうように正確に仕分けせずによくなり、施工作業にかかるはずの手間をおさえることができる。
　【００２３】
　また、支持壁１ｂを、ベース１に立設し、カバー４を支えるようにしたため、幹線収納用二重床パネルの強度を向上できる。また、ベース１の外側面１ｃに、各種配線Ｌを幹線から分岐して引き出すための、通線開孔１ｃ１を設けたため、施工者は、各種配線Ｌの分岐の必要性に適宜応じて、通線開孔１ｃ１を通して各種配線Ｌを分岐させることができる。
　【００２４】
　【００２５】
　また、カバーは、ベースとともに、連結リングで周囲の溝型フロアパネルに固定されるようにしてもかまわない。
　【００２６】
　また、上記実施の形態においては、支持壁１ｂを、ベース１に立設したが、カバー、ベース、支持壁の強度を向上させて幹線収納用二重床パネルの強度を確保できるならば、本発明はこれに限らず、支持壁をカバーに立設させてもよい。
　【００２７】
　また、支持壁１ｂは、板状のものでなくともよく、例えば、各種配線の挿通方向がカーブするような場合に対処できるように、湾曲して形成されていてもよい。
　【００２８】
　［第２の実施の形態］
　図３は幹線収納用二重床パネルを説明する分解斜視図である。なお、前述の第１の実施の形態と同一の箇所には同じ符号を付し、同一の箇所の詳細な説明は省略する。
　【００２９】
　この第２の実施の形態の幹線収納用二重床パネルが前述の第１の実施の形態の幹線収納用二重床パネルと異なり特徴となるのは、支持壁をベースの底面から切り起こして形成し、さらに、各種配線を種類別に支持壁で仕切り、支持壁で仕切った個別の収納空間に応じて、各種配線の種類をあらわすカラーリングを、カバー上面（二重床の床面）に施した構成である。
　【００３０】
　支持壁１ｂは、ベース１の底面である底板１ａから切り起こして形成される。支持壁１ｂによって仕切られた複数の収納空間２ａ、２ａ、２ａになるように仕切られる。複数の収納空間２ａ、２ａ、２ａ、すなわち収納空間２には、二重床の床下に通したい電力線や通信線などの各種配線Ｌを、弱電と強電などの区別に応じて、また、伝送信号の種類に応じて、線種類別に、各収納空間２ａごとに挿通させる。
　【００３１】
　カバー４の上面（二重床の床面）には、各収納空間２ａごとに、各種配線Ｌの種類に応じて、各種配線の種類をあらわすカラーリングを、施してある。例えば、カバー４の上面は、弱電線を収納する収納空間２ａをカバーする部分４ａには、青色が、強電線を収納する収納空間２ａをカバーする部分４ｂには、赤色が、また、無収納部分をカバーする部分４ｃには、無着色が、それぞれ施されている。
　【００３２】
　従って、支持壁１ｂを、ベース１の底面である底板１ａから切り起こして形成したため、支持壁１ｂを容易に形成することができる。
　【００３３】
　また、カバー４の上面を、各種配線Ｌの種類に応じて、カラーリングしたため、レイアウト変更の際など、カバー４を開ける前に各種配線Ｌの配置と種類が予めわかって、各種配線Ｌをさがす手間が省ける。
　【００３４】
　［第３の実施の形態］
　図４は幹線収納用二重床パネルの説明図で、図４（ａ）はベースの展開図、図４（ｂ）はベースの斜視図である。なお、前述の第２の実施の形態と同一の箇所には同じ符号を付し、同一の箇所の詳細な説明は省略する。
　【００３５】
　この第３の実施の形態の幹線収納用二重床パネルが前述の第２の実施の形態の幹線収納用二重床パネルと異なり特徴となるのは、ベースの底面に、該底面が載置するコンクリート床スラブ上面の不陸に応じて、切り欠きを設けた構成である。
　【００３６】
　ベース１の底面である底板１ａは、コンクリート床スラブ上面に載置されるが、コンクリート床スラブ上面は、一般に、正確な平面でなく、ところどころで微少な凹凸を有していたり、僅かに曲率をもつことがある。このように正確には非平面である（このような状態を不陸という）コンクリート床スラブ上面に載置される以上、底板１ａは、コンクリート床スラブ上面にガタツキを有して載置されることになる。
　【００３７】
　そのような場合、ベース１の底板１ａに、該底板１ａが載置するコンクリート床スラブ上面の不陸に応じて、切り欠き１ｄを設ければよい。切り欠き１ｄを設ける目的は、ベース１の底板１ａの強度を下げ、コンクリート床スラブ上面の不陸に応じて、ベース１の底板１ａを撓ませることにある。
　【００３８】
　従って、ベース１の底板１ａに、該底面底板１ａが載置するコンクリート床スラブ上面の不陸に応じて、切り欠き１ｄを設けたため、ベース１を、コンクリート床スラブ上面の不陸に柔軟に対処して、がたつかないようにできる。
　【００３９】
　［第４の実施の形態］
　図５は幹線収納用二重床パネルの説明図で、図５（ａ）はベースの側面図、図５（ｂ）はベースの下面図である。なお、前述の第１の実施の形態と同一の箇所には同じ符号を付し、同一の箇所の詳細な説明は省略する。
　【００４０】
　この第４の実施の形態の幹線収納用二重床パネルが前述の第１の実施の形態の幹線収納用二重床パネルと異なり特徴となるのは、高さ微調整の機能を有するようにした構成である。
　【００４１】
　ベース１の底面である底板１ａは、コンクリート床スラブ上面に載置されるが、第３の実施の形態においても上述したように、コンクリート床スラブ上面は、一般に、正確な平面でなく、ところどころで微少な凹凸を有していたり、僅かに曲率をもつことがある。このように正確には非平面である（このような状態を不陸という）コンクリート床スラブ上面に載置される以上、底板１ａは、コンクリート床スラブ上面にガタツキを有して載置されることになる。
　【００４２】
　そのような場合、ベース１の底板１ａに、ボルトＢ１と、ボルト支持片Ｂ２とからなる、高さ微調整機構を形成しておけばよい。ボルトＢ１の下端には、幅広の支え脚Ｂ１１が形成されており、ボルトＢ１の上端が、ボルト支持片Ｂ２に螺合するのである。ボルトＢ１は、上端でボルト支持片Ｂ２に螺合する際に、ナットなどで高さの調整を行えるようになっており、ボルトＢ１は複数使用され、各ボルトＢ１ごとに、支え脚Ｂ１１からボルト支持片Ｂ２までの高さを調節できる。ボルト支持片Ｂ２は、ベース１の底板１ａから、延設させなければならない。
　【００４３】
　従って、ベース１の底板１ａに、コンクリート床スラブ上面からの高さを調節する、高さ微調整の機能をもたせたため、ベース１について、個別に、傾きの微調整を行ったり、高さの微調整を行うことが可能になり、カバー４の上面（二重床の床面）の傾きや高さの不均一をなくしやすくなる。
　【００４４】
　【発明の効果】
　請求項１記載の発明にあっては、二重床の床下に通す各種配線を、二重床の床面となるカバーと該カバーを支えるベースとの間の収納空間で挿通させる幹線収納用二重床パネルであって、ベースは、内部が略全て収納空間になるように形成され、カバーとベースとの間の収納空間を複数に仕切る支持壁を、カバーとベースとのいずれかに設けたため、各種配線を支持壁で仕切って収納空間に収納できる幹線収納用二重床パネルを、提供できる。しかも、ベースの外側面に、各種配線を幹線から分岐して引き出すための通線開孔を設けたため、施工者は、各種配線の分岐の必要性に適宜応じて、通線開孔を通して各種配線を分岐させることができ、二重床を形成する同通線開孔に対向する箇所に分岐された各種配線が引き込まれる十字溝を有した他の床パネルの外形寸法に略一致する外形寸法を有して形成され、他の床パネルと置換させて二重床を形成することができる。
　【００４５】
　
また
カバー又は
　【００４６】
　請求項
２
　【００４７】
　請求項
３
　【００４８】
　【００４９】
　請求項
４
【図面の簡単な説明】
　【図１】本発明に係る第１の実施の形態の幹線収納用二重床パネルを示す分解斜視図である。
　【図２】同上の、幹線収納用二重床パネルを用いて構成した二重床を、理解を助けるために床面を外した状態で眺めた斜視図である。
　【図３】本発明に係る第２の実施の形態の幹線収納用二重床パネルを説明する分解斜視図である。
　【図４】本発明に係る第３の実施の形態の幹線収納用二重床パネルの説明図である。
　【図５】本発明に係る第４の実施の形態の幹線収納用二重床パネルの説明図である。
　【図６】従来の幹線収納用二重床パネルを用いて構成した二重床を、理解を助けるために床面を外した状態で眺めた斜視図である。
　【符号の説明】
　１　　　ベース
　１ｂ　　支持壁
　１ｃ１　通線開孔
　１ｄ　　切り欠き
　２　　　収納空間
　４　　　カバー
　Ｌ　　　各種配線
　Ｔ　　　特定の一方向